(57)【要約】【課題】使用するデータ量を削減可能な撮像装置、レンズ装置、カメラシステムおよび撮像装置の制御方法を提供すること。【解決手段】撮像装置は、中心から径方向に向かって透過率が変化する光学素子を含む撮像光学系を備えるレンズ装置が交換可能に装着される撮像装置であって、撮像光学系により形成された被写体像を撮像して画像データを出力する撮像手段と、撮像手段に入射する光量を測定する測光手段と、撮像光学系に含まれる、撮像手段に入射する光量を調整する光量調整手段に設定される調整量と撮像手段に入射する光量との関係を示すデータを取得する取得手段と、を有し、データにおいて、調整量または撮像手段に入射する光量のいずれかは所定の基準値に対する相対値である。【選択図】図１
2020134547.tif 000002
【特許請求の範囲】
【請求項１】
中心から径方向に向かって透過率が変化する光学素子を含む撮像光学系を備えるレンズ装置が交換可能に装着される撮像装置であって、
前記撮像光学系により形成された被写体像を撮像して画像データを出力する撮像手段と、
前記撮像手段に入射する光量を測定する測光手段と、
前記撮像光学系に含まれる、前記撮像手段に入射する光量を調整する光量調整手段に設定される調整量と前記撮像手段に入射する光量との関係を示すデータを取得する取得手段と、を有し、
前記データにおいて、前記調整量または前記撮像手段に入射する光量のいずれかは所定の基準値に対する相対値であることを特徴とする撮像装置。
【請求項２】
前記相対値の間隔は、前記光量調整手段の光量調整範囲に応じて変化することを特徴とする請求項１に記載の撮像装置。
【請求項３】
前記取得手段は、前記撮像装置と前記レンズ装置との初期通信において、前記データを取得することを特徴とする請求項１または２に記載の撮像装置。
【請求項４】
前記取得手段は、前記調整量と前記撮像手段に入射する光量との関係を示す複数のデータを取得することを特徴とする請求項１から３のいずれか１項に記載の撮像装置。
【請求項５】
前記複数のデータは、前記調整量の変化量から前記撮像手段に入射する光量の変化量を導出可能な第１テーブルデータ、および前記撮像手段に入射する光量の変化量から前記調整量の変化量を導出可能な第２テーブルデータを含むことを特徴とする請求項４に記載の撮像装置。
【請求項６】
前記複数のデータは、前記撮像光学系に含まれるフォーカスレンズ群のフォーカス位置の情報と前記調整量の変化量とから前記撮像手段に入射する光量の変化量を導出可能な第１テーブルデータ、および前記フォーカス位置の情報と前記撮像手段に入射する光量の変化量とから前記調整量の変化量を導出可能な第２テーブルデータを含むことを特徴とする請求項４に記載の撮像装置。
【請求項７】
前記取得手段は、前記撮像装置と前記レンズ装置との初期通信において、前記フォーカス位置の数に関するデータを取得することを特徴とする請求項６に記載の撮像装置。
【請求項８】
前記取得手段により取得されたデータを用いて露光条件を決定する決定手段を更に有することを特徴とする請求項１から７のいずれか１項に記載の撮像装置。
【請求項９】
前記決定手段は、操作手段を介して前記調整量が設定された場合、前記調整量の変化量から前記撮像手段に入射する光量の変化量を導出可能な第１テーブルデータを用いて前記露光条件としてシャッター速度および感度の少なくとも一方を決定し、前記操作手段を介してシャッター速度が設定された場合、前記撮像手段に入射する光量の変化量から前記調整量の変化量を導出可能な第２テーブルデータを用いて前記露光条件として前記調整量を決定することを特徴とする請求項８に記載の撮像装置。
【請求項１０】
前記決定手段は、操作手段を介して前記調整量が設定された場合、前記撮像光学系に含まれるフォーカスレンズ群のフォーカス位置の情報と前記調整量の変化量とから前記撮像手段に入射する光量の変化量を導出可能な第１テーブルデータを用いて前記露光条件としてシャッター速度および感度の少なくとも一方を決定し、前記操作手段を介してシャッター速度が設定された場合、前記フォーカス位置の情報と前記撮像手段に入射する光量の変化量とから前記調整量の変化量を導出可能な第２テーブルデータを用いて前記露光条件として前記調整量を決定することを特徴とする請求項８に記載の撮像装置。
【請求項１１】
被写体像を撮像して画像データを出力する撮像手段と、前記撮像手段に入射する光量を測定する測光手段と、を備える撮像装置に交換可能に装着されるレンズ装置であって、
中心から径方向に向かって透過率が変化する光学素子と前記撮像手段に入射する光量を調整する光量調整手段を含む撮像光学系と、
前記光量調整手段に設定される調整量と前記撮像手段に入射する光量との関係を示すデータを前記撮像装置に送信する送信手段と、を有し、
前記データにおいて、前記調整量または前記撮像手段に入射する光量のいずれかは所定の基準値に対する相対値であることを特徴とするレンズ装置。
【請求項１２】
前記送信手段は、前記撮像装置と前記レンズ装置との初期通信において、前記データを前記撮像装置に送信することを特徴とする請求項１１に記載のレンズ装置。
【請求項１３】
前記送信手段は、前記調整量と前記撮像手段に入射する光量との関係を示す複数のデータを送信することを特徴とする請求項１１または１２に記載のレンズ装置。
【請求項１４】
前記複数のデータは、前記調整量の変化量から前記撮像手段に入射する光量の変化量を導出可能な第１テーブルデータ、および前記撮像手段に入射する光量の変化量から前記調整量の変化量を導出可能な第２テーブルデータを含むことを特徴とする請求項１３に記載のレンズ装置。
【請求項１５】
前記撮像光学系は、フォーカスレンズ群を含み、
前記複数のデータは、前記フォーカスレンズ群のフォーカス位置の情報と前記調整量の変化量とから前記撮像手段に入射する光量の変化量を導出可能な第１テーブルデータ、および前記フォーカス位置の情報と前記撮像手段に入射する光量の変化量とから前記調整量の変化量を導出可能な第２テーブルデータを含むことを特徴とする請求項１３に記載のレンズ装置。
【請求項１６】
前記送信手段は、前記撮像装置と前記レンズ装置との初期通信において、前記フォーカス位置の数に関するデータを送信することを特徴とする請求項１５に記載のレンズ装置。
【請求項１７】
中心から径方向に向かって透過率が変化する光学素子と被写体像の光量を調整する光量調整手段を含む撮像光学系と、
前記撮像光学系により形成された前記被写体像を撮像して画像データを出力する撮像手段と、
前記撮像手段に入射する光量を測定する測光手段と、
前記光量調整手段に設定される調整量と前記撮像手段に入射する光量との関係を示すデータを取得する取得手段と、を有し、
前記データにおいて、前記調整量または前記撮像手段に入射する光量のいずれかは所定の基準値に対する相対値であることを特徴とするカメラシステム。
【請求項１８】
中心から径方向に向かって透過率が変化する光学素子を含む撮像光学系を備えるレンズ装置が交換可能に装着され、前記撮像光学系により形成された被写体像を撮像して画像データを出力する撮像手段と、前記撮像手段に入射する光量を測定する測光手段と、を備える撮像装置の制御方法であって、
前記撮像光学系に含まれる、前記撮像手段に入射する光量を調整する光量調整手段により設定される調整量と前記測光手段により測定される光量との関係を示すデータを取得するステップを有し、
前記データにおいて、前記調整量または前記撮像手段に入射する光量のいずれかは所定の基準値に対する相対値であることを特徴とする撮像装置の制御方法。
【発明の詳細な説明】
【技術分野】
【０００１】
本発明は、撮像装置、レンズ装置、カメラシステムおよび撮像装置の制御方法に関する。
【背景技術】
【０００２】
中心から径方向に向かって透過率が変化する光学素子を搭載した撮像光学系を用いて写真を撮影することで、ユーザーの好みに応じたボケ具合の像を取得可能である。
【０００３】
従来、撮像素子に入射する光量を測定（以後、「測光」と呼ぶ）し、測定された光量に応じて、光線径を調整する絞りの開口径を変化させることにより、露出制御が行われる。換言すれば、絞りの開口径と撮像素子に入射する光量との間の線形性が保たれていることを前提として露出制御が行われている。
【０００４】
しかし、中心から周辺に向かって透過率が減衰する光学素子を用いた場合、絞りの開口径と撮像素子に入射する光量との間の線形性が保たれなくなる。そのため、絞りの開口径を変化させて光量を調整することによる露出調整では、開口径の指示に基づいて適切に光量を変化させることができない。
【０００５】
特許文献１には、光学系にフィルタを差し込んでボケ効果を生み、装着されたフィルタの種類に応じて、記憶された絞り特性データを選択して絞りの制御を変更する撮像システムが開示されている。
【先行技術文献】
【特許文献】
【０００６】
【特許文献１】特開平１０−２６８３８２号公報
【発明の概要】
【発明が解決しようとする課題】
【０００７】
特許文献１の撮像システムでは、絞り駆動パルスとＦ値またはＴ値との関係を示すデータや、絞り開口径とＦ値またはＴ値との関係を示すデータが記憶されている。しかしながら、特許文献１の撮像システムでは、Ｆ値やＴ値のパラメータを絶対値で記憶している。交換レンズが着脱される撮像システムでは、交換レンズ毎にＦ値やＴ値のパラメータの範囲が異なり、これらのパラメータを絶対値で記憶する場合、全てのＦ値に対応するＴ値を記憶する必要が生じてしまい、撮像装置で取り扱うデータ量が膨大になってしまう。
【０００８】
本発明は、使用するデータ量を削減可能な撮像装置、レンズ装置、カメラシステムおよび撮像装置の制御方法を提供することを目的とする。
【課題を解決するための手段】
【０００９】
本発明の一側面としての撮像装置は、中心から径方向に向かって透過率が変化する光学素子を含む撮像光学系を備えるレンズ装置が交換可能に装着される撮像装置であって、撮像光学系により形成された被写体像を撮像して画像データを出力する撮像手段と、撮像手段に入射する光量を測定する測光手段と、撮像光学系に含まれる、撮像手段に入射する光量を調整する光量調整手段に設定される調整量と撮像手段に入射する光量との関係を示すデータを取得する取得手段と、を有し、データにおいて、調整量または撮像手段に入射する光量のいずれかは所定の基準値に対する相対値であることを特徴とする。
【００１０】
また、本発明の他の側面としてのレンズ装置は、被写体像を撮像して画像データを出力する撮像手段と、撮像手段に入射する光量を測定する測光手段と、を備える撮像装置に交換可能に装着されるレンズ装置であって、中心から径方向に向かって透過率が変化する光学素子と撮像手段に入射する光量を調整する光量調整手段を含む撮像光学系と、光量調整手段に設定される調整量と撮像手段に入射する光量との関係を示すデータを撮像装置に送信する送信手段と、を有し、データにおいて、調整量または撮像手段に入射する光量のいずれかは所定の基準値に対する相対値であることを特徴とする。
【００１１】
また、本発明の他の側面としてのカメラシステムは、中心から径方向に向かって透過率が変化する光学素子と被写体像の光量を調整する光量調整手段を含む撮像光学系と、撮像光学系により形成された被写体像を撮像して画像データを出力する撮像手段と、撮像手段に入射する光量を測定する測光手段と、光量調整手段に設定される調整量と撮像手段に入射する光量との関係を示すデータを取得する取得手段と、を有し、データにおいて、調整量または撮像手段に入射する光量のいずれかは所定の基準値に対する相対値であることを特徴とする。
【００１２】
また、本発明の他の側面としての撮像装置の制御方法は、中心から径方向に向かって透過率が変化する光学素子を含む撮像光学系を備えるレンズ装置が交換可能に装着され、撮像光学系により形成された被写体像を撮像して画像データを出力する撮像手段と、撮像手段に入射する光量を測定する測光手段と、を備える撮像装置の制御方法であって、撮像光学系に含まれる、撮像手段に入射する光量を調整する光量調整手段により設定される調整量と測光手段により測定される光量との関係を示すデータを取得するステップを有し、データにおいて、調整量または撮像手段に入射する光量のいずれかは所定の基準値に対する相対値であることを特徴とする。
【発明の効果】
【００１３】
本発明によれば、使用するデータ量を削減可能な撮像装置、レンズ装置、カメラシステムおよび撮像装置の制御方法を提供することができる。
【図面の簡単な説明】
【００１４】
【図１】本発明の実施形態に係るカメラシステムのブロック図である。
【図２】絞り優先モードが設定されている場合のカメラと交換レンズとの間のやり取りの一例を示す図である。
【図３】Ｆ値をＴ値に変換するためのテーブルデータの一例である。
【図４】Ｆ値をＴ値に変換するためのテーブルデータの比較例である。
【図５】Ｆ値をＴ値に変換するためのテーブルデータの他の例である。
【図６】シャッター速度優先モードが設定されている場合のカメラと交換レンズとの間のやり取りの一例を示す図である。
【図７】Ｔ値をＦ値に変換するためのテーブルデータの一例である。
【図８】Ｔ値をＦ値に変換するためのテーブルデータの比較例である。
【発明を実施するための形態】
【００１５】
以下、本発明の実施例について、図面を参照しながら詳細に説明する。各図において、同一の部材については同一の参照番号を付し、重複する説明は省略する。
【００１６】
図１（ａ）は、本発明の実施形態に係るカメラシステム１のブロック図である。カメラシステム１は、一眼レフデジタルカメラ（撮像装置。以後、「カメラ」と呼ぶ）１５０、およびカメラ１５０に交換可能に装着される交換レンズ（レンズ装置）１０１を有する。なお、本実施例のカメラシステムでは交換レンズ１０１がカメラ１５０に交換可能に装着されるが、本発明はレンズ一体型のカメラにも適用可能である。
【００１７】
カメラ１５０と交換レンズ１０１は、カメラ側接点部１５２内の通信接点部（以後、「通信端子」と呼ぶ）１５３およびレンズ側接点部１０３内の通信接点部（以後、「通信端子」と呼ぶ）１０４を介して情報通信可能に接続される。また、カメラ側接点部１５２内の電源接点部１５４およびレンズ側接点部１０３内の電源接点部１０５を介して、カメラ電源回路部１５５からレンズ電源回路部１０６に電源が供給される。カメラ電源回路部１５５は、カメラ１５０内のバッテリー１５６からの電力を利用して、カメラ１５０内で使用する様々な電源、または交換レンズ１０１側に供給する電源を、ＬＤＯやＤＣＤＣ回路を用いて生成する。
【００１８】
交換レンズ１０１は、フォーカシングに際して移動するフォーカスレンズ群１０７、ズーミングに際して移動するズームレンズ群１０８、絞り１０９、および補正レンズ１１０を含む撮像光学系を有する。撮像光学系は、さらに、中心から径方向に向かって透過率が変化する光学素子１１３を備える。光学素子１１３は、レンズまたはフィルタ（ＮＤフィルタ、アポダイゼーションフィルタともいう）である。絞り１０９は、駆動により、開口径を調整することが可能である。すなわち、撮像素子１６２に到達する光の光量を調整する光量調整手段として機能する。フォーカス位置センサ１１１は、フォーカスレンズ１０７の位置（フォーカス位置）を検出する。フォーカスレンズ駆動回路１１２は、フォーカスレンズ１０７を駆動する。ズーム位置センサ１２７は、ズームレンズ１０８の位置（ズーム位置）を検出する。ズームレンズ駆動回路１２６は、ズームレンズ１０８を駆動する。絞り１０９は、カメラ１５０内に設けられた撮像素子（撮像手段）１６２に入射する光量を調整する。絞り位置センサ１１４は、絞り１０９の位置（絞り位置）を検出する。ここで、絞り位置とは、絞り１０９の開口径または開口径に対応する絞りの駆動量等をいう。絞り駆動回路１１５は、絞り１０９を駆動する。
【００１９】
ＭＦ操作部材１２２は、交換レンズ１０１の外装に装備された撮像光学系の光軸を中心に回転する筒型のマニュアルフォーカスリングを含む操作部材である。検出センサ１２３は、ＭＦ操作部材１２２に対する操作量を検出する。レンズＣＰＵ１０２は、検出センサ１２３により検出されたＭＦ操作部材１２２に対する操作量に応じてフォーカスレンズ駆動回路１１２を制御し、フォーカスレンズ１０７を所定位置に駆動する。
【００２０】
ズーム操作部材１２４は、交換レンズ１０１の外装に装備された光軸を中心に回転する筒型のマニュアルズームリングを含む操作部材である。検出センサ１２５は、ズーム操作部材１２４に対する操作量を検出する。レンズＣＰＵ１０２は、検出センサ１２５により検出されたズーム操作部材１２４に対する操作量に応じてズームレンズ駆動回路１２６を制御し、ズームレンズ１０８を所定位置に駆動する。
【００２１】
レンズＣＰＵ１０２は、図１（ｂ）に示されるように、内部メモリ（記憶手段）１０２ａおよび送信手段１０２ｂを有する。内部メモリ１０２ａは、交換レンズ１０１に固有の特性情報や光学情報を記憶している。送信手段１０２ｂは、内部メモリ１０２ａに記憶されている特性情報および光学情報を、通信端子１０４，１５３を介してカメラＣＰＵ１５１に送信する。特性情報には、交換レンズ１０１の名称（機種を特定するためのＩＤ情報）、最大通信速度、開放Ｆ値、ズームレンズであるか否か、対応可能なＡＦシステム、ＡＦ可能な像高、およびＦ値とＴ値との関係を示すテーブルデータ等の情報が含まれる。また、光学情報には、フォーカス位置、ズーム位置、絞り１０９の状態等のマトリクスで得られるフォーカスレンズ１０７の敏感度情報、ピント補正量（設計値）、およびピント補正製造誤差値の情報等が含まれる。また、送信手段１０２ｂは、ＭＦ操作部材１２２の操作情報や、フォーカスプリセット駆動スイッチの操作によるフォーカスレンズ１０７の駆動を許可する許可信号等もカメラＣＰＵ１５１に送信する。さらに、交換レンズ１０１とカメラ１５０は、通信端子１０４，１５３を介して、その他の構成の動作状態、設定状態、各種情報の要求命令（送信要求）、および駆動命令等の情報をやり取りする。
【００２２】
交換レンズ１０１は、合焦動作において自動合焦（ＡＦ)を行うか、マニュアル合焦（ＭＦ)を行うかを選択するＡＦ／ＭＦ選択スイッチや手ブレ補正を行うか否かを選択するＩＳ＿ＯＮ／ＯＦＦスイッチを含むレンズユーザーインターフェイス部１２０を有する。
【００２３】
カメラＣＰＵ１５１は、ＡＦ／ＭＦ選択スイッチの選択がＡＦであることを確認した場合、ＡＦ動作に入る。カメラＣＰＵ１５１は、撮像素子１６２からの出力を処理して撮像光学系の焦点状態を検出し、レンズＣＰＵ１０２から取得した光学情報と合わせて、被写体に対する合焦状態を得るためのフォーカスレンズ１０７の駆動量を算出する。カメラＣＰＵ１５１は、通信端子１０４，１５３を介して、算出したフォーカスレンズ１０７の駆動量をレンズＣＰＵ１０２に送信する。レンズＣＰＵ１０２は、フォーカス位置センサ１１１からのフォーカス位置情報と受信したフォーカスレンズ１０７の駆動量に応じてフォーカスレンズ駆動回路１１２を制御し、フォーカスレンズ１０７を合焦位置に駆動する。
【００２４】
カメラＣＰＵ１５１は、ＡＦ／ＭＦ選択スイッチの選択がＭＦであると確認した場合、ＭＦ操作部材１２２に対する操作量に応じてフォーカスレンズ１０７を所定位置に駆動することでピント調節を行う。
【００２５】
カメラ１５０は、レリーズスイッチを含むカメラユーザーインターフェイス部（操作手段）１６１、撮像素子１６２、シャッター１６３、表示部１６４、カメラユーザーインターフェイス部１６５および測光センサ（測光手段）１６６を有する。撮像素子１６２は、ＣＣＤセンサやＣＭＯＳセンサ等の光電変換素子により構成され、撮像光学系により形成された被写体像を撮像して画像データを出力する。撮像素子１６２は、１つの画素に対して複数の光電変換部を有する構造を持つため、位相差信号と映像信号を同時に出力することが可能である。表示部１６４は、撮影モード（静止画撮影モード、動画撮影モード、絞り優先モードおよびシャッター速度優先モード等）や撮影条件を示す情報を表示する。測光センサ１６６は、撮像素子１６２に入射する光量を測定する。
【００２６】
カメラＣＰＵ１５１は、図１（ｃ）に示されるように、取得手段１５１ａおよび決定手段１５１ｂを有する。取得手段１５１ａは、Ｆ値とＴ値との関係を示すテーブルデータを含むレンズＣＰＵ１０２から送信された情報を取得する。決定手段１５１ｂは、レリーズスイッチの半押し操作に応じて、測光センサ１６６による測光結果、撮影設定条件、およびＦ値とＴ値との関係を示すテーブルデータから露光条件（Ｆ値、シャッター速度および感度）を決定する。
【００２７】
カメラＣＰＵ１５１は、通信端子１０４，１５３を介して絞り１０９に設定されるＦ値（調整量）をレンズＣＰＵ１０２に伝達する。レンズＣＰＵ１０２は、受信したＦ値と絞り位置センサ１１４からの絞り位置情報に応じて絞り駆動回路１１５を制御して絞り１０９を駆動する。
【００２８】
また、カメラＣＰＵ１５１は、レリーズスイッチの半押し操作に応じて、手ブレ補正開始命令を、通信端子１０４，１５３を介してレンズＣＰＵ１０２に伝達する。レンズＣＰＵ１０２は、手ブレ補正開始命令を受信すると、ＩＳ駆動回路（手ブレ補正駆動回路）１１６を制御して補正レンズ１１０を制御中心位置に保持する。続いて、レンズＣＰＵ１０２は、ロック駆動回路１１７を制御してメカロック１１８を駆動し、ロック状態を解除する。その後、レンズＣＰＵ１０２は、手ブレ検出回路１１９の検出結果に応じてＩＳ駆動回路１１６を制御して補正レンズ１１０を駆動し、手ブレを補正する。
【００２９】
カメラＣＰＵ１５１は、レリーズスイッチの全押し操作に応じて、シャッター１６３を駆動し、撮像光学系からの光束を撮像素子１６２に導き、撮影を行う。カメラＣＰＵ１５１は、撮像素子１６２からの出力に基づいて画像データを生成し、記録媒体に記録する。撮影される画像は、表示部１６４とカメラユーザーインターフェイス部１６５から構成されるカメラＧＵＩ部の設定によって、静止画撮影モードが選択されていれば静止画、動画撮影モードが選択されていれば動画となる。また、動画撮影用の録画開始ボタンを別に設けておき、動画撮影用の録画開始ボタンが押されたら動画の録画が開始されるようにしてもよい。
【００３０】
以下、図２および図３を参照して、絞り優先モードで撮影する場合の絞り制御について説明する。絞り優先モードとは、ユーザーが好みのＦ値を指定するモードである。この場合、カメラＣＰＵ１５１において指定されたＦ値に対応する光量を決定し、当該光量に対応するシャッター速度に基づいて露光を行う。
【００３１】
図２は、絞り優先モードが設定されている場合のカメラ１５０と交換レンズ１０１との間の情報のやり取りの一例を示す図である。図３は、交換レンズ１０１から送信されたＦ値をＴ値に変換するためのテーブルデータ（第１テーブルデータ）の一例を示している。図３のテーブルデータは、フォーカス位置とＦ値よりＴ値を導出可能なテーブルデータである。図３の左の列がＦ値を示し、上の行がフォーカス位置を示している。フォーカス位置に関しては無限から至近までを必要数分割している。この分割は等分割でもよいし、光学性能を考えた上での分割でもよい。本実施例では一例として３２分割とする。
【００３２】
ステップＳ１００において、図３のテーブルデータは、カメラ１５０と交換レンズ１０１との初期通信において、送信手段１０２ｂから取得手段１５１ａに送信される。また、分割数（フォーカス位置の数）に関するデータも、カメラ１５０と交換レンズ１０１との初期通信において、図３に示すテーブルデータの送信に先立って送信手段１０２ｂから取得手段１５１ａに送信される。
【００３３】
図３のテーブルデータでは、Ｆ値のパラメータは、開放Ｆ値（基準値）に対する相対値である。これにより、使用するレンズ装置ごとに最適なデータ量を持てばよいことになり、図４のテーブルデータのように、Ｆ値のパラメータを絶対値とする場合に比べてデータ量を大幅に削減することが可能である。例えば、図４のテーブルデータでは、Ｆ値のパラメータがＦ１．０〜Ｆ６４まであり、変化段数としては１２段を想定している。１段辺り１６分割で考えると１９２（＝１２×１６）分割のデータが必要となる。すなわち、このデータ量が使用するレンズ装置に関係なく必要となる。一方、図３のテーブルデータでは、開放Ｆ値をＦ２．０、絞り込み段数８段を想定しているので、１２８（＝８×１６）分割のデータで良くなる。そのため、データ量を２５％削減することが可能である。
【００３４】
ステップＳ１０１では、ユーザーがレンズユーザーインターフェイス部１２０やカメラユーザーインターフェイス部１６１等を使用してＦ値を設定する。本実施例では、Ｆ値はＦ４．０に設定される。
【００３５】
ステップＳ１０２では、ユーザーがレリーズスイッチ等を操作することで、撮影動作が開始する。撮影動作の開始後、カメラＣＰＵ１５１は、レンズＣＰＵ１０２と通信を行い、フォーカスレンズ１０７の状態（フォーカス状態）を受信する（フォーカス状態通信を行う）。フォーカス状態には、現在のフォーカス位置情報が含まれている。本実施例では、カメラＣＰＵ１５１は、フォーカス位置情報としてＦｏｃｕｓ２を受信する。
【００３６】
ステップＳ１０３では、カメラＣＰＵ１５１は、レンズＣＰＵ１０２と通信を行い、絞り１０９の状態（絞り状態）を受信する（絞り状態通信を行う）。絞り状態には、絞り１０９に現在設定されているＦ値や、測光の基準となるＦ値データ等が含まれる。本実施例では、カメラＣＰＵ１５１は、絞り１０９に現在設定されているＦ値としてＦ２．０を受信する。
【００３７】
ステップＳ１０４では、決定手段１５１ｂは、図３のテーブルデータを用いて現在設定されているＦ値からユーザーにより設定されたＦ値に変更した際のＴ値の変化量を算出する。本実施例では、まず、現在のフォーカス位置がＦｏｃｕｓ２、現在設定されているＦ値がＦ２．０であるため、図３のテーブルデータより現在のＴ値がＴ２．９と導出される。次に、フォーカス位置がＦｏｃｕｓ２、Ｆ値がＦ４．０である場合のＴ値がＴ４．６と図３のテーブルデータより導出される。この結果、Ｆ値をＦ２．０からＦ４．０に変更することにより、Ｔ値はＴ２．９からＴ４．６に変化することが導出される。
【００３８】
ステップＳ１０５では、決定手段１５１ｂは、ステップＳ１０４で導出されたＴ値の変化量を用いて露出が最適となるシャッター速度や感度を決定する。
【００３９】
ステップＳ１０６では、カメラＣＰＵ１５１は、ユーザーにより設定されたＦ値（本実施例では、Ｆ４．０）となるように絞り１０９を駆動するためにレンズＣＰＵ１０２と通信を行う（絞り駆動通信を行う）。
【００４０】
ステップＳ１０７では、レンズＣＰＵ１０２は、カメラＣＰＵ１５１から受信した絞り駆動命令に基づいて絞り１０９を駆動する。
【００４１】
ステップＳ１０８では、カメラ１５０は、シャッター１６３を開き、露光を開始する。
【００４２】
以上説明したように、本実施例では、Ｆ値をＴ値に変換するためのテーブルデータを使用することで、絞り優先モードで撮影する場合の絞り制御を高速に実行可能である。したがって、連射撮影中におけるコマ速を上げることが可能となる。
【００４３】
このように、交換レンズ１０１においては、使用するレンズ装置ごとに最適なデータ量を記憶すればよいこととなり、Ｆ値のパラメータを絶対値とする場合に比べて記憶するデータ量を削減することができる。また、カメラ１５０に対して送信する際のデータの送信量を削減し、データの送信時間を短縮することができる。カメラ１５０においては、交換レンズ１０１から取得したデータを一時的に記憶するための記憶容量を削減したり、交換レンズ１０１から取得したテーブルデータを用いた処理の実行速度を上げたりすることができる。
【００４４】
なお、図４のテーブルデータの代わりに、光量調整範囲に応じて相対値の間隔が変化するテーブルデータを用いてもよい。ボケ光学系では、絞り１０９が開放状態に近い領域におけるＦ値とＴ値との関係が線形性から大きく外れる傾向がある。一方、絞り１０９が大きく絞られた領域におけるＦ値とＴ値との関係は線形性に近づいてくるので、分割数を荒くしても（相対値の間隔を広げても）その間の値は線形補完等で補うことが可能である。そこで、図４の代わりに、例えば、絞り量が大きくなるにつれて分割段数が減少する図５のテーブルデータを用いてもよい。図５のテーブルデータでは、開放から１６／１６段までは１／１６段分解能、１６／１６段から３２／１６段までは１／８段分解能、３２／１６段から最終小絞りＦ３２までは１／４段分解能としている。このようなテーブルデータを用いることで、さらにデータ量を削減することが可能である。
【００４５】
以下、図６および図７を参照して、シャッター速度優先モードで撮影する場合の絞り制御について説明する。シャッター速度優先モードとは、ユーザーが好みのシャッタースピードを指定するモードである。この場合、カメラＣＰＵ１５１において指定されたシャッタースピードを実現するための光量を決定し、当該光量に対応するＦ値をレンズＣＰＵに送信する。
【００４６】
図６は、シャッター速度優先モードが設定されている場合のカメラ１５０と交換レンズ１０１との間の情報のやり取りの一例を示す図である。図７は、Ｔ値をＦ値に変換するためのテーブルデータ（第２テーブルデータ）を示している。
【００４７】
図７のテーブルデータでは、Ｔ値のパラメータは、最大Ｔ値（基準値）に対する相対値である。これにより、使用するレンズ装置ごとに最適なデータ量を持てばよいことになり、図８のテーブルデータのように、Ｔ値のパラメータを絶対値とする場合に比べてデータ量を大幅に削減することが可能である。
【００４８】
ステップＳ２００では、図７のテーブルデータは、カメラ１５０と交換レンズ１０１との初期通信において、送信手段１０２ｂから取得手段１５１ａに送信される。
【００４９】
ステップＳ２０１では、ユーザーがシャッター速度を１／１０００に設定する。
【００５０】
ステップＳ２０２では、ユーザーがレリーズスイッチ等を操作することで、撮影動作が開始する。撮影動作の開始後、カメラＣＰＵ１５１は、レンズＣＰＵ１０２と通信を行い、フォーカスレンズ１０７の状態（フォーカス状態）を受信する（フォーカス状態通信を行う）。本実施例では、カメラＣＰＵ１５１は、フォーカス位置情報としてＦｏｃｕｓ２を受信する。
【００５１】
ステップＳ２０３では、カメラＣＰＵ１５１は、レンズＣＰＵ１０２と通信を行い、絞り１０９の状態（絞り状態）を受信する（絞り状態通信を行う）。
【００５２】
ステップＳ２０４では、測光センサ１６６は、ステップＳ２０３で受信した絞り情報等に基づいて現在の撮像素子１６２に入射する光量の測定（測光）を行う。本実施形態では、現在のＴ値がＴ２．８と測定される。
【００５３】
ステップＳ２０５では、決定手段１５１ｂは、ステップＳ２０４で取得された光量値と測光時の設定からシャッター速度が１／１０００である場合に撮影に最適な露出変化量を算出する。本実施例では、決定手段１５１ｂは、Ｔ値がＴ２．８からＴ４．０に変化することを算出する。
【００５４】
ステップＳ２０６では、決定手段１５１ｂは、現在のＦ値から撮影に最適な露出となるＦ値を図７のテーブルデータを用いて決定する。本実施例では、Ｔ値をＴ２．８からＴ４．０に変化することにより、Ｆ値はＦ２．１からＦ３．５に変化することが導出される。
【００５５】
ステップＳ２０７では、カメラＣＰＵ１５１は、ステップＳ２０６で決定されたＦ値（本実施例では、Ｆ３．５）となるように絞り１０９を駆動するためにレンズＣＰＵ１０２と通信を行う（絞り駆動通信を行う）。
【００５６】
ステップＳ２０８では、レンズＣＰＵ１０２は、カメラＣＰＵ１５１から受信した絞り駆動命令に基づいて絞り１０９を駆動する。
【００５７】
ステップＳ２０９では、カメラ１５０は、シャッター１６３を開き、露光を開始する。
【００５８】
以上説明したように、本実施例では、Ｔ値をＦ値に変換するためのテーブルデータを使用することで、シャッター速度優先モードで撮影する場合の絞り制御を高速に実行可能である。したがって、連射撮影中におけるコマ速を上げることが可能となる。
【００５９】
このように、交換レンズ１０１においては、使用するレンズ装置ごとに最適なデータ量を記憶すればよいこととなり、Ｆ値のパラメータを絶対値とする場合に比べて記憶するデータ量を削減することができる。また、カメラ１５０に対して送信する際のデータの送信量を削減し、データの送信時間を短縮することができる。カメラ１５０においては、交換レンズ１０１から取得したデータを一時的に記憶するための記憶容量を削減したり、交換レンズ１０１から取得したテーブルデータを用いた処理の実行速度を上げたりすることができる。
【００６０】
本実施例では、交換レンズ１０１からカメラ１５０にＦ値とＴ値の関係を示すデータを送信することで、カメラ１５０が当該データを取得する方法を説明したが、本発明の適用範囲はこれに限られない。例えば、カメラ１５０が、ネットワーク回線を通じてパソコン等からダウンロードすることによって当該データを取得してもよい。
【００６１】
また、本実施例では、ユーザーインターフェース部１６１を介して、ユーザーがＦ値やシャッター速度など設定する場合を説明したが、本発明の適用範囲はこれに限られない。例えば、交換レンズ１０１や、交換レンズ１０１とカメラ１５０との間に配置されたアダプタなどに設けられたボタンや操作リング等の操作手段を介してＦ値やシャッター速度等を設定してもよい。ただし、操作手段が交換レンズ１０１やアダプタに設けられている場合は、当該操作手段を有するものがカメラ１５０に対して設定値を、通信を介して通知する。
【００６２】
また、本実施例では、開放Ｆ値または最大Ｔ値を基準値としたが、本発明の適用範囲はこれに限られない。開放Ｆ値以外のＦ値を基準値としてもよいし、最大Ｔ値以外のＴ値を基準値としてもよい。
［その他の実施例］
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００６３】
以上、本発明の好ましい実施形態について説明したが、本発明はこれらの実施形態に限定されず、その要旨の範囲内で種々の変形及び変更が可能である。
【符号の説明】
【００６４】
１０１    交換レンズ（レンズ装置）
１０９    絞り（光量調整手段）
１５０    カメラ（撮像装置）
１５１    取得手段
１６２    撮像素子（撮像手段）
１６６    測光センサ（測光手段）
【図１】
2020134547.tif 000003
【図２】
2020134547.tif 000004
【図３】
2020134547.tif 000005
【図４】
2020134547.tif 000006
【図５】
2020134547.tif 000007
【図６】
2020134547.tif 000008
【図７】
2020134547.tif 000009
【図８】
2020134547.tif 000010